(57)【要約】      （修正有）【課題】円形な折り紙を製作する事で、折り紙が楽しく、いろいろな種類が出来、折り紙教室や家庭での娯楽の範囲を増やす事が出来る。また、従来出来なかった折り紙に、曲線のある折り形の種類を増やす事が出来る。【解決手段】本考案は、上記目的を達成する事によって、折り紙を楽しくする事が出来る。折り紙を円形にしたものである。曲線のある折り紙の作品を簡単に作れる。それは、家庭やその他での折り紙の楽しみを増やせるものである。【選択図】図３
0003126143.tif 000002
【実用新案登録請求の範囲】
【請求項１】
折り紙を円形（楕円も含む）にする事で、折り紙の工作の範囲が広がり、家庭や折り紙教室等で、円形な折り紙として、応用の幅広い折り紙が楽しめる円形な折り紙に関する。
【請求項２】
色とりどりの折り紙を正方形、長方形と円形な折り紙を製作する事によって、いろいろな種類の折り紙が形成出来る円形な折り紙に関する。
【考案の詳細な説明】
【考案の詳細な説明】
【０００１】本考案は折り紙を円形にする事によって、折り紙を折った時、その作品に曲線が現れ、柔らかみのある作品が出来上がる。その折り紙でお姫様等を折り、宴会時の席順を決めるクジ引き等、幅広く折り紙を楽しめる。
【背景技術】
【０００２】従来の折り紙は、正方形と長方形で、折り紙は工夫を要しながらも、折り紙が一定化していた。【０００３】以下、図１．図２．により従来の折紙について説明をする。
0003126143.tif 000003
上図の様に従来の折紙は、正方形と長方形しかなかった。
【考案が解決しようとする課題】
【０００４】円形な折り紙を製作する事で、折り紙が楽しく、いろいろな種類が出来、折り紙教室や家庭での娯楽の範囲を増やす事が出来る。
【０００５】本考案は、従来出来なかった折り紙に、曲線のある折り形の種類を増やす事が出来る。
【課題を解決する為の手段】
【０００６】本考案は、上記目的を達成する事によって、折り紙を楽しくする事が出来る。折り紙を円形にしたものである。
【考案の効果】
【０００７】曲線のある折り紙の作品を簡単に作れる。それは、家庭やその他での折り紙の楽しみを増やせるものである。
【考案の実施の図面】
0003126143.tif 000004
0003126143.tif 000005
【手続補正書】
【提出日】平成17年10月25日(2005.10.25)
【手続補正１】
【補正対象書類名】実用新案登録請求の範囲
【補正対象項目名】全文
【補正方法】変更
【補正の内容】
【実用新案登録請求の範囲】
【請求項１】
折り紙を円形（楕円も含む）にする事で、折り紙の工作の範囲が広がり、家庭や折り紙教室等で、円形な折り紙として、応用の幅広い折り紙が楽しむ事が出来る、円形な形状を有する折り紙。
【請求項２】
色とりどりの折り紙を正方形、長方形と円形な折り紙を製作する事によって、いろいろな種類の折り紙が形成出来る、円形な折り紙。
【手続補正２】
【補正対象書類名】明細書
【補正対象項目名】全文
【補正方法】変更
【補正の内容】
【考案の詳細な説明】
【考案の詳細な説明】
【０００１】本考案は折り紙を円形にする事によって、折り紙を折った時、その作品に曲線が現れ、柔らかみのある作品が出来上がる。その折り紙でお姫様等を折り、宴会時の席順を決めるクジ引き等、幅広く折り紙を楽しめる。
【０００２】円形の折り紙（直径１０ｃｍ〜２０ｃｍ）であって、折り紙が円形であることによって、円形特製の折り方が出来る。
【背景技術】
【０００３】従来の折り紙は、正方形と長方形で、折り紙は工夫を要しながらも、折り紙が一定化していた。又、正方形と長方形の折り紙は、その切り口が直線なのでその折り紙で折った時、丸みのある作品作りに、苦労をしていた。
【考案が解決しようとする課題】
【０００４】円形な折り紙を製作する事で、折り紙が楽しく、いろいろな種類（富士山、人形、宴会時のクジ引きのクジ、）が出来、折り紙教室や家庭での娯楽の範囲を増やす事が出来る。又、七夕等、人形や富士山が竹の枝に下がると楽しみが倍加し、夢がある。
【０００５】本考案は、従来出来なかった折り紙に、曲線のある折り形の種類を増やす事が出来る。
【考案の効果】
【０００６】曲線のある折り紙の作品を簡単に作れる。それは、家庭やその他での折り紙の楽しみを増やせるものである。
【図面の簡単な説明】
【０００７】
【図１】は円形折り紙の折り方の順番であって、１２が完成品である。１２は富士山の正面図であり、又（宴会用のくじ引き）にも利用出来る。
【図２】は、人形が着物を着ているイメージである。（１から番号順に折って行く）
【符号の説明】
【０００８】  １  円形折り紙
２  １を点線から半分に折る
３  ２を点線から半分に折る
４  ３を点線から折り、○印と○印を合わせる
５  反対側も同じように折る
６  ５を開く
７  ６の端を袋状に開く
８  反対側も同じように、袋状に開く
９  ８を上下逆さにして、点線から山折りする
１０  ９の両側を押さえ折りする
１１  １０の背面図
１２  １０を点線から山折りした図
【０００９】  １  円形折り紙
２  １を点線から半分に折る（少しずらしている）
３  ２を反対にして、３分の１の所から、山折りする
４  左側からも同じ様に、山折りする
５  折った隙間に、片方の折り目を差し込む
【手続補正３】
【補正対象書類名】図面
【補正対象項目名】全図
【補正方法】変更
【補正の内容】
【図１】
0003126143.tif 000006
【図１】
0003126143.tif 000007
【図２】
0003126143.tif 000008
【手続補正書】
【提出日】平成18年2月13日(2006.2.13)
【手続補正１】
【補正対象書類名】実用新案登録請求の範囲
【補正対象項目名】全文
【補正方法】変更
【補正の内容】
【実用新案登録請求の範囲】
【請求項１】
折り紙を円形（楕円も含む）にする事で、折り紙の工作の範囲が広がり、家庭や折り紙教室等で、円形な折り紙として、応用の幅広い折り紙が楽しめる円形な折り紙に関する。
【請求項２】
色とりどりの折り紙を正方形、長方形と円形な折り紙を製作する事によって、曲線を形づける、いろいろな種類の折り紙が形成出来る円形な折り紙に関する。
【手続補正２】
【補正対象書類名】明細書
【補正対象項目名】全文
【補正方法】変更
【補正の内容】
【考案の詳細な説明】
【考案の詳細な説明】
【０００１】本考案は折り紙を円形にする事によって、折り紙を折った時、その作品に曲線が現れ、柔らかみのある作品が出来上がる。その折り紙でお姫様等を折り、宴会時の席順を決めるクジ引き等、幅広く折り紙を楽しめる。
【背景技術】
【０００２】従来の折り紙は、正方形と長方形で、折り紙は工夫を要しながらも、折り紙が一定化していた。【０００３】従来の折り紙は、正方形と長方形で、折り紙は工夫を要しながらも、折り紙が一定化していた。又、正方形と長方形の折り紙は、その切り口が直線なのでその折り紙で折った時、丸みのある作品作りに、苦労をしていた。
【考案が解決しようとする課題】
【０００４】円形な折り紙を製作する事で、折り紙が楽しく、いろいろな種類が出来、折り紙教室や家庭での娯楽の範囲を増やす事が出来る。
【０００５】  削除
本考案は、従来出来なかった折り紙に、曲線のある折り形の種類を増やす事が出来る。
【課題を解決する為の手段】
【０００６】本考案は、上記目的を達成する事によって、折り紙を楽しくする事が出来る。折り紙を円形にしたものである。
【考案の効果】
【０００７】曲線のある折り紙の作品を作れる。それは、家庭やその他での折り紙の楽しさを増やせるものである。
【図面の簡単な説明】
【０００８】円形の折り紙と、曲線の美しい作品の一例【図１】くじ引き用折り紙（工作順番１〜６）
【図２】山（富士山）    （工作順番１〜１３）
【図３】カブト          （工作順番１〜９）
【手続補正３】
【補正対象書類名】図面
【補正対象項目名】全図
【補正方法】変更
【補正の内容】
【図１】
0003126143.tif 000009
【図２】
0003126143.tif 000010
【図３】
0003126143.tif 000011
【手続補正書】
【提出日】平成18年7月3日(2006.7.3)
【手続補正１】
【補正対象書類名】実用新案登録請求の範囲
【補正対象項目名】全文
【補正方法】変更
【補正の内容】
【実用新案登録請求の範囲】
【請求項１】
円形又は楕円に形成されたことを特徴とする折り紙。
【請求項２】
表裏の色が異なることを特徴とする請求項１に記載の折り紙。
【手続補正２】
【補正対象書類名】明細書
【補正対象項目名】全文
【補正方法】変更
【補正の内容】
【考案の詳細な説明】
【技術分野】
【０００１】本考案は、折り紙を円形（楕円も含む）にする事で、折り紙の工作の範囲が広がり、家庭や折り紙教室等で、円形な折り紙として、送用の幅広い折り紙が楽しめる円形な折り紙に関するものである。
【背景技術】
【０００２】従来の折紙は、正方形と長方形しかなかった。
【考案の開示】
【考案が解決しようとする課題】
【０００３】従来の折り紙は、正方形と長方形で、折り紙は工夫を要しながらも、折り紙が一定化していた。【０００４】本考案は上記従来の課題を解決するもので、円形な折り紙を製作する事で、折り紙が楽しく、いろいろな種類が出来、折り紙教室や家庭での娯楽の範囲を増やす事が出来る。従来出来なかった折り紙に、曲線のある折り形の種類を増やす事が出来る。
【課題を解決するための手段】
【０００５】上記課題を解決するために本考案の折り紙は、以下の構成を有している。
本考案の請求項１に記載の折り紙は、円形又は楕円に形成された構成を有している。
この構成により、以下のような作用を有する。
（１）折り紙を円形（楕円も含む）にする事で、折り紙の工作の範囲が広がり、家庭や折り紙教室等で、円形な折り紙として、応用の幅広い折り紙が楽しめる。
（２）折り紙を円形にする事によって、折り紙を折った時、その作品に曲線が現れ、柔らかみのある作品が出来上がる。その折り紙でお姫様等を折り、宴会時の席順を決めるクジ引き等、幅広く折り紙を楽しめる。【０００６】請求項２に記載の考案は、請求項１に記載の折り紙であって、表裏の色が異なる構成を有している。
この構成により、請求項１の作用に加え、以下のような作用を有する。
（１）色とりどりの折り紙を製作する事によって、いろいろな種類の折り紙が形成出来る。
【考案の効果】
【０００７】以上のように、本考案の折り紙によれば、以下のような有利な効果が得られる。
請求項１に記載の考案によれば、以下のような効果を有する。
（１）曲線のある折り紙の作品を簡単に作れる。それは、家庭やその他での折り紙の楽しみを増やせるものである。
（２）折り紙を円形にする事によって、折り紙に工夫と幅を与え、いろいろと、折り紙が楽しめる。
（３）家庭や折り紙教室で、今まで以上に、折り紙を楽しむ事が出来る。又、宴会などで席を決める時、円形の折り紙を使用すれば、ムードのあるクジ引きが出来る。【０００８】請求項２に記載の考案によれば、請求項１の効果に加え、以下のような効果を有する。
（１）色とりどりの折り紙を製作する事によって、いろいろな種類の折り紙が形成出来る。
【考案を実施するための最良の形態】
【０００９】以下、本考案の実施の形態における折り紙について、以下図面を参照しながら説明する。
（実施の形態１）
図１は実施の形態１における折り紙を示す平面図である。
以上のように形成された実施の形態１における折り紙を用いて作製した曲線の美しい作品の例について説明する。
図２は実施の形態１における折り紙を用いて作製したお姫様を示す平面図であり、図３は実施の形態１における折り紙を用いて作製したクジ引き用折り紙を示す平面図であり、図４は実施の形態１における折り紙を用いて作製したナンバーを書いてテーブル上に置く折り紙を示す平面図である。【００１０】以上のように実施の形態１における折り紙は構成されているので、以下の作用を有する。
（１）折り紙を円形（楕円も含む）にする事で、折り紙の工作の範囲が広がり、家庭や折り紙教室等で、円形な折り紙として、応用の幅広い折り紙が楽しめる。
（２）折り紙を円形にする事によって、折り紙を折った時、その作品に曲線が現れ、柔らかみのある作品が出来上がる。その折り紙でお姫様等を折り、宴会時の席順を決めるクジ引き等、幅広く折り紙を楽しめる。
（３）色とりどりの折り紙を製作する事によって、いろいろな種類の折り紙が形成出来る。
（４）宴会などで席を決める時、円形の折り紙を使用すれば、ムードのあるクジ引きが出来る。
【産業上の利用可能性】
【００１１】本考案は、折り紙を円形にする事によって、折り紙に工夫と幅を与え、いろいろと、折り紙が楽しめる。家庭や折り紙教室で、今まで以上に、折り紙を楽しむ事が出来る。又、宴会などで席を決める時、円形の折り紙を使用すれば、ムードのあるクジ引きが出来る。
【図面の簡単な説明】
【００１２】
【図１】実施の形態１における折り紙を示す平面図
【図２】実施の形態１における折り紙を用いて作製したお姫様を示す平面図
【図３】実施の形態１における折り紙を用いて作製したクジ引き用折り紙を示す平面図
【図４】実施の形態１における折り紙を用いて作製したナンバーを書いてテーブル上に置く折り紙を示す平面図
【手続補正３】
【補正対象書類名】図面
【補正対象項目名】全図
【補正方法】変更
【補正の内容】
【図１】
0003126143.tif 000012
【図２】
0003126143.tif 000013
【図３】
0003126143.tif 000014
【図４】
0003126143.tif 000015